(57)【要約】  本発明は、ウェアラブル制御機器、仮想・拡張現実システム及び制御方法に関する。前記ウェアラブル制御機器は、頭部装着型視聴機器に接続するためのウェアラブル制御機器であって、並行して設置された上ケース部と下ケース部とを含み、前記上ケース部と前記下ケース部との対向する２つの面の間には、スリットが形成されており、前記上ケース部と下ケース部のテール部が移行部を介して接続されており、前記上ケース部の上面には、少なくとも１つの物理的遠隔操作ユニットが設置されており、前記上ケース部及び／又は前記下ケース部の内部には、前記頭部装着型視聴機器に対応する計算モジュールが設置されており、前記計算モジュールと前記物理的遠隔操作ユニットとが電気的に接続されている。【選択図】図５
2021531520.tif 000002
【特許請求の範囲】
【請求項１】
頭部装着型視聴機器に接続するためのウェアラブル制御機器であって、並行して設置された上ケース部と下ケース部とを含み、
前記上ケース部と前記下ケース部との対向する２つの面の間には、スリットが形成されており、
前記上ケース部と下ケース部のテール部が移行部を介して接続されており、
前記上ケース部の上面には、少なくとも１つの物理的遠隔操作ユニットが設置されており、
前記上ケース部及び／又は前記下ケース部の内部には、前記頭部装着型視聴機器に対応する計算モジュールが設置されており、
前記計算モジュールと前記物理的遠隔操作ユニットとが電気的に接続されている
ことを特徴とするウェアラブル制御機器。
【請求項２】
前記物理的遠隔操作ユニットは、物理ボタン、仮想ボタン、スクロールホイール、ロッカーレバー、トラックボールのうちの少なくとも１つを含む
ことを特徴とする請求項１に記載のウェアラブル制御機器。
【請求項３】
前記物理的遠隔操作ユニットは、前記上ケース部の上面のエッジ領域に並列に設置された第１の押圧部と第２の押圧部とを含み、
前記エッジ領域は、前記上面における前記移行部から離れた局所領域である
ことを特徴とする請求項２に記載のウェアラブル制御機器。
【請求項４】
前記物理的遠隔操作ユニットは、前記第１の押圧部と前記第２の押圧部との間に設置された第１のボタンをさらに含む
ことを特徴とする請求項３に記載のウェアラブル制御機器。
【請求項５】
前記物理的遠隔操作ユニットは、前記第１の押圧部と前記第２の押圧部との間に設置されたスクロールホイールをさらに含む
ことを特徴とする請求項３に記載のウェアラブル制御機器。
【請求項６】
前記物理的遠隔操作ユニットは、前記下ケース部の側面に設置された第２のボタンをさらに含む
ことを特徴とする請求項３に記載のウェアラブル制御機器。
【請求項７】
前記移行部には、前記頭部装着型視聴機器に接続するための接続線が設置されている
ことを特徴とする請求項１から請求項６のいずれか１項に記載のウェアラブル制御機器。
【請求項８】
前記上ケース部の長さは、前記下ケース部の長さよりも短い
ことを特徴とする請求項１から請求項６のいずれか１項に記載のウェアラブル制御機器。
【請求項９】
頭部装着型視聴機器に接続するためのウェアラブル制御機器であって、
ケースと、
前記ケースに設置された少なくとも１つの物理的遠隔操作ユニットと、
前記ケース内に設置された計算モジュールと、を含み、
前記計算モジュールと前記物理的遠隔操作ユニットとが電気的に接続されており、
前記計算モジュールは、前記頭部装着型視聴機器で出力されるＶＲ視聴情報、ＡＲ視聴情報及びＭＲ視聴情報のうちの少なくとも１つを含む視聴情報を生成し、前記物理的遠隔操作ユニットで受信されたユーザ操作に応じて前記視聴情報の制御信号を生成し、前記制御信号に応じて前記視聴情報の出力を制御するように構成される
ことを特徴とするウェアラブル制御機器。
【請求項１０】
前記ケースは、並行して設置された上ケース部と下ケース部とを含み、前記上ケース部と下ケース部のテール部が移行部を介して接続されており、
少なくとも１つの前記物理的遠隔操作ユニットは、前記上ケース部の上面に設置されている
ことを特徴とする請求項９に記載のウェアラブル制御機器。
【請求項１１】
前記上ケース部と前記下ケース部との対向する２つの面の間には、スリットが形成されている
ことを特徴とする請求項９に記載のウェアラブル制御機器。
【請求項１２】
前記物理的遠隔操作ユニットは、物理ボタン、仮想ボタン、スクロールホイール、ロッカーレバー、トラックボールのうちの少なくとも１つを含む
ことを特徴とする請求項１０に記載のウェアラブル制御機器。
【請求項１３】
前記物理的遠隔操作ユニットは、前記上ケース部の上面のエッジ領域に並列に設置された第１の押圧部と第２の押圧部とを含み、
前記エッジ領域は、前記上面における前記移行部から離れた局所領域である
ことを特徴とする請求項１０に記載のウェアラブル制御機器。
【請求項１４】
前記計算モジュールは、前記第１の押圧部で前記ユーザ操作を受信すると、前記視聴情報にマッチングする確認信号、ドラッグ制御信号、多肢選択制御信号のうちの少なくとも１つを生成するように構成され、
前記計算モジュールは、前記第２の押圧部で前記ユーザ操作を受信すると、前記視聴情報にマッチングする補助メニュー制御信号を生成するように構成される
ことを特徴とする請求項１３に記載のウェアラブル制御機器。
【請求項１５】
前記物理的遠隔操作ユニットは、前記第１の押圧部と前記第２の押圧部との間に設置された第１のボタンをさらに含む
ことを特徴とする請求項１３に記載のウェアラブル制御機器。
【請求項１６】
前記計算モジュールは、前記第１のボタンで前記ユーザ操作を受信すると、音声信号を受信し、前記音声信号に応じて音声制御信号を生成するか、又は前記音声信号を文字入力内容に変換するように構成される
ことを特徴とする請求項１５に記載のウェアラブル制御機器。
【請求項１７】
前記物理的遠隔操作ユニットは、前記第１の押圧部と前記第２の押圧部との間に設置されたスクロールホイールをさらに含む
ことを特徴とする請求項１３に記載のウェアラブル制御機器。
【請求項１８】
前記計算モジュールは、前記スクロールホイールで前記ユーザ操作を受信すると、数値調整命令を生成するように構成され、
前記数値調整命令は、音量調整命令、輝度調整命令、視野サイズ調整命令、シーンサイズ調整命令、視野角回転命令、視野角遠近調整命令、モノのインターネット機器調整命令のうちの少なくとも１つを含む
ことを特徴とする請求項１７に記載のウェアラブル制御機器。
【請求項１９】
前記物理的遠隔操作ユニットは、前記下ケース部の側面に設置された第２のボタンをさらに含む
ことを特徴とする請求項１３に記載のウェアラブル制御機器。
【請求項２０】
前記計算モジュールは、前記第２のボタンで前記ユーザ操作を受信すると、リターン信号、前のページ信号又はスクリーンキャプチャ信号のうちの少なくとも１つの制御信号を生成するように構成される
ことを特徴とする請求項１９に記載のウェアラブル制御機器。
【請求項２１】
前記計算モジュールは、前記第２のボタンで前記ユーザ操作を受信すると、オン信号、オフ信号、再起動信号及び電源遮断信号のうちの少なくとも１つの制御信号を生成するように構成される
ことを特徴とする請求項２０に記載のウェアラブル制御機器。
【請求項２２】
前記移行部には、前記頭部装着型視聴機器に接続するための接続線が設置されている
ことを特徴とする請求項９から請求項２１のいずれか１項に記載のウェアラブル制御機器。
【請求項２３】
前記上ケース部の長さは、前記下ケース部の長さよりも短い
ことを特徴とする請求項９から請求項２１のいずれか１項に記載のウェアラブル制御機器。
【請求項２４】
頭部装着型視聴機器とウェアラブル制御機器とを含み、前記頭部装着型視聴機器と前記ウェアラブル制御機器とが接続されており、
前記ウェアラブル制御機器は、請求項１から請求項２３のいずれか１項に記載のウェアラブル制御機器である
ことを特徴とする仮想・拡張現実システム。
【請求項２５】
請求項１から請求項８のいずれか１項に記載のウェアラブル制御機器に適用するウェアラブル制御機器の制御方法であって、
前記ウェアラブル制御機器が頭部装着型視聴機器に接続するためのものであり、
前記頭部装着型視聴機器で出力されるＶＲ視聴情報、ＡＲ視聴情報及びＭＲ視聴情報のうちの少なくとも１つを含む視聴情報を生成するステップと、
前記物理的遠隔操作ユニットで受信されたユーザ操作に応じて前記視聴情報の制御信号を生成するステップと、
前記制御信号に応じて前記視聴情報の出力を制御するステップと、を含む
ことを特徴とするウェアラブル制御機器の制御方法。
【請求項２６】
前記物理的遠隔操作ユニットは、前記上ケース部の上面のエッジ領域に並列に設置された第１の押圧部と第２の押圧部とを含み、
前記物理的遠隔操作ユニットで受信されたユーザ操作に応じて前記視聴情報の制御信号を生成するステップは、
前記第１の押圧部で前記ユーザ操作を受信すると、前記視聴情報にマッチングする確認信号、ドラッグ制御信号、多肢選択制御信号のうちの少なくとも１つを生成するステップと、
前記第２の押圧部で前記ユーザ操作を受信すると、前記視聴情報にマッチングする補助メニュー制御信号を生成するステップと、を含む
ことを特徴とする請求項２５に記載の制御方法。
【請求項２７】
前記物理的遠隔操作ユニットは、前記第１の押圧部と前記第２の押圧部との間に設置された第１のボタンをさらに含み、
前記物理的遠隔操作ユニットで受信されたユーザ操作に応じて前記視聴情報の制御信号を生成するステップは、
前記第１のボタンで前記ユーザ操作を受信すると、音声信号を受信し、前記音声信号に応じて音声制御信号を生成するか、又は前記音声信号を文字入力内容に変換するステップを含む
ことを特徴とする請求項２６に記載の制御方法。
【請求項２８】
前記物理的遠隔操作ユニットは、前記第１の押圧部と前記第２の押圧部との間に設置されたスクロールホイールをさらに含み、
前記物理的遠隔操作ユニットで受信されたユーザ操作に応じて前記視聴情報の制御信号を生成するステップは、
前記スクロールホイールで前記ユーザ操作を受信すると、数値調整命令を生成するステップを含み、
前記数値調整命令は、音量調整命令、輝度調整命令、視野サイズ調整命令、シーンサイズ調整命令、視野角回転命令、視野角遠近調整命令、モノのインターネット機器調整命令のうちの少なくとも１つを含む
ことを特徴とする請求項２６に記載の制御方法。
【請求項２９】
前記物理的遠隔操作ユニットは、前記下ケース部の側面に設置された第２のボタンをさらに含み、
前記物理的遠隔操作ユニットで受信されたユーザ操作に応じて前記視聴情報の制御信号を生成するステップは、
前記第２のボタンで前記ユーザ操作を受信すると、リターン信号、前のページ信号又はスクリーンキャプチャ信号のうちの少なくとも１つの制御信号を生成するステップ、及び／又は、
前記第２のボタンで前記ユーザ操作を受信すると、オン信号、オフ信号、再起動信号及び電源遮断信号のうちの少なくとも１つの制御信号を生成するステップを含む
ことを特徴とする請求項２６に記載の制御方法。
【請求項３０】
請求項１から請求項８のいずれか１項に記載のウェアラブル制御機器であって、前記ウェアラブル制御機器は、頭部装着型視聴機器に接続するためのものであり、
プロセッサと、
前記プロセッサで実行可能な命令を保存するためのメモリと、を含み、
前記プロセッサは、
前記頭部装着型視聴機器で出力されるＶＲ視聴情報、ＡＲ視聴情報及びＭＲ視聴情報のうちの少なくとも１つを含む視聴情報を生成し、
前記物理的遠隔操作ユニットで受信されたユーザ操作に応じて前記視聴情報の制御信号を生成し、
前記制御信号に応じて前記視聴情報の出力を制御するように構成される
ことを特徴とするウェアラブル制御機器。
【発明の詳細な説明】
【技術分野】
【０００１】
本願は、電子機器分野に関し、特に、ウェアラブル制御機器、仮想・拡張現実システム及び制御方法に関する。
【背景技術】
【０００２】
拡張現実（Ａｕｇｍｅｎｔｅｄ  Ｒｅａｌｉｔｙ，ＡＲ）は、コンピュータシステムが提供する情報により現実世界に対するユーザの感知を高める技術であり、仮想の情報を真実世界に適用し、コンピュータにより生成された仮想情報（仮想物体、シーン又はシステム提示情報を含む）を真実シーンに重ね合わせることにより、現実に対する拡張を実現する。
【０００３】
関連技術における頭部装着型視聴機器は、頭部装着型ディスプレイ、ＡＲ本体及び無線リモコンの３つの部分を含む。ここで、頭部装着型ディスプレイは、ＡＲ本体が生成した仮想情報を表示し、且つ真実環境における環境情報をキャプチャするためのものである。ＡＲ本体は、仮想を算出して頭部装着型ディスプレイに出力するためのものである。無線リモコンは、生成された仮想情報をＡＲ本体が調整又は変更するように、ユーザの制御操作を受信してＡＲ本体に入力するためのものである。
【０００４】
実際の使用において、頭部装着型ディスプレイは、ユーザの頭部に着用する必要があり、ＡＲ本体は、ユーザの腰ベルトの位置に着用可能であり、無線リモコンは、ユーザによって把持される。この無線リモコンは、非常に紛失されやすく、保管に不利である。
【発明の概要】
【発明が解決しようとする課題】
【０００５】
本発明の各実施例は、関連技術における上記の技術的課題及び他の潜在的な技術的課題のうちの少なくとも１つを解決するために、ウェアラブル制御機器、仮想・拡張現実システム及び制御方法を提供する。
【課題を解決するための手段】
【０００６】
本発明の一態様によれば、頭部装着型視聴機器に接続するためのウェアラブル制御機器であって、並行して設置された上ケース部と下ケース部とを含み、前記上ケース部と前記下ケース部との対向する２つの内側面の間には、スリットが形成されており、前記上ケース部と下ケース部のテール部が移行部を介して接続されており、
前記上ケース部の上面には、少なくとも１つの物理的遠隔操作ユニットが設置されており、
前記上ケース部及び／又は前記下ケース部の内部には、前記頭部装着型視聴機器に対応する計算モジュールが設置されており、前記計算モジュールと前記物理的遠隔操作ユニットとが電気的に接続されるウェアラブル制御機器を提供する。
【０００７】
選択的な一実施形態において、前記物理的遠隔操作ユニットは、物理ボタン、仮想ボタン、スクロールホイール、ロッカーレバー、トラックボールのうちの少なくとも１つを含む。
【０００８】
選択的な一実施形態において、前記物理的遠隔操作ユニットは、前記上ケース部の上面のエッジ領域に並列に設置された第１の押圧部と第２の押圧部とを含み、
ここで、前記エッジ領域は、前記上面における前記移行部から離れた局所領域である。
【０００９】
選択的な一実施形態において、前記物理的遠隔操作ユニットは、前記第１の押圧部と前記第２の押圧部との間に設置された第１のボタンをさらに含む。
【００１０】
選択的な一実施形態において、前記物理的遠隔操作ユニットは、前記第１の押圧部と前記第２の押圧部との間に設置されたスクロールホイールをさらに含む。
【００１１】
選択的な一実施形態において、前記物理的遠隔操作ユニットは、前記下ケース部の側面に設置された第２のボタンをさらに含む。
【００１２】
選択的な一実施形態において、前記移行部には、前記頭部装着型視聴機器に接続するための接続線が設置されている。
【００１３】
選択的な一実施形態において、前記上ケース部の長さは、前記下ケース部の長さよりも短い。
【００１４】
本発明の他の態様によれば、頭部装着型視聴機器に接続するためのウェアラブル制御機器であって、
ケースと、
前記ケースに設置された少なくとも１つの物理的遠隔操作ユニットと、
前記ケース内に設置された計算モジュールと、を含み、
前記計算モジュールと前記物理的遠隔操作ユニットとが電気的に接続されており、
前記計算モジュールは、前記頭部装着型視聴機器で出力されるＶＲ視聴情報、ＡＲ視聴情報及びＭＲ視聴情報のうちの少なくとも１つを含む視聴情報を生成し、前記物理的遠隔操作ユニットで受信されたユーザ操作に応じて前記視聴情報の制御信号を生成し、前記制御信号に応じて前記視聴情報の出力を制御するように構成されるウェアラブル制御機器を提供する。
【００１５】
選択的な一実施形態において、前記ケースは、並行して設置された上ケース部と下ケース部とを含み、前記上ケース部と下ケース部のテール部が移行部を介して接続されており、
少なくとも１つの前記物理的遠隔操作ユニットは、前記上ケース部の上面に設置されている。
【００１６】
選択的な一実施形態において、前記上ケース部と前記下ケース部との対向する２つの内側面の間には、スリットが形成されている。
【００１７】
選択的な一実施形態において、前記物理的遠隔操作ユニットは、物理ボタン、仮想ボタン、スクロールホイール、ロッカーレバー、トラックボールのうちの少なくとも１つを含む。
【００１８】
選択的な一実施形態において、前記物理的遠隔操作ユニットは、前記上ケース部の上面のエッジ領域に並列に設置された第１の押圧部と第２の押圧部とを含み、
ここで、前記エッジ領域は、前記上面における前記移行部から離れた局所領域である。
【００１９】
選択的な一実施形態において、前記計算モジュールは、前記第１の押圧部で前記ユーザ操作を受信すると、前記視聴情報にマッチングする確認信号、ドラッグ制御信号、多肢選択制御信号のうちの少なくとも１つを生成するように構成され、前記計算モジュールは、前記第２の押圧部で前記ユーザ操作を受信すると、前記視聴情報にマッチングする補助メニュー制御信号を生成するように構成される。
【００２０】
選択的な一実施形態において、前記物理的遠隔操作ユニットは、前記第１の押圧部と前記第２の押圧部との間に設置された第１のボタンをさらに含む。
【００２１】
選択的な一実施形態において、前記計算モジュールは、前記第１のボタンで前記ユーザ操作を受信すると、音声信号を受信し、前記音声信号に応じて音声制御信号を生成するか、又は前記音声信号を文字入力内容に変換するように構成される。
【００２２】
選択的な一実施形態において、前記物理的遠隔操作ユニットは、前記第１の押圧部と前記第２の押圧部との間に設置されたスクロールホイールをさらに含む。
【００２３】
選択的な一実施形態において、前記計算モジュールは、前記スクロールホイールで前記ユーザ操作を受信すると、数値調整命令を生成するように構成され、
ここで、前記数値調整命令は、音量調整命令、輝度調整命令、視野サイズ調整命令、シーンサイズ調整命令、視野角回転命令、視野角遠近調整命令、モノのインターネット機器調整命令のうちの少なくとも１つを含む。
【００２４】
選択的な一実施形態において、前記物理的遠隔操作ユニットは、前記下ケース部の側面に設置された第２のボタンをさらに含む。
【００２５】
選択的な一実施形態において、前記計算モジュールは、前記第２のボタンで前記ユーザ操作を受信すると、リターン信号、前のページ信号又はスクリーンキャプチャ信号のうちの少なくとも１つの制御信号を生成するように構成される。
【００２６】
選択的な一実施形態において、前記計算モジュールは、前記第２のボタンで前記ユーザ操作を受信すると、オン信号、オフ信号、再起動信号及び電源遮断信号のうちの少なくとも１つの制御信号を生成するように構成される。
【００２７】
選択的な一実施形態において、前記移行部には、前記頭部装着型視聴機器に接続するための接続線が設置されている。
【００２８】
選択的な一実施形態において、前記上ケース部の長さは、前記下ケース部の長さよりも短い。
【００２９】
本発明の他の態様によれば、頭部装着型視聴機器とウェアラブル制御機器とを含み、前記頭部装着型視聴機器と前記ウェアラブル制御機器とが接続されており、
前記ウェアラブル制御機器は、上記の態様及び選択的な実施形態で提供するウェアラブル制御機器である仮想・拡張現実システムを提供する。
【００３０】
本発明の他の態様によれば、上記の態様及び選択的な実施形態で提供する前記ウェアラブル制御機器に適用するウェアラブル制御機器の制御方法であって、前記ウェアラブル制御機器が頭部装着型視聴機器に接続するためのものであり、
前記頭部装着型視聴機器で出力されるＶＲ視聴情報、ＡＲ視聴情報及びＭＲ視聴情報のうちの少なくとも１つを含む視聴情報を生成するステップと、
前記物理的遠隔操作ユニットで受信されたユーザ操作に応じて前記視聴情報の制御信号を生成するステップと、
前記制御信号に応じて前記視聴情報の出力を制御するステップと、を含むウェアラブル制御機器の制御方法を提供する。
【００３１】
選択的な一実施形態において、前記物理的遠隔操作ユニットは、前記上ケース部の上面のエッジ領域に並列に設置された第１の押圧部と第２の押圧部とを含み、
前記物理的遠隔操作ユニットで受信されたユーザ操作に応じて前記視聴情報の制御信号を生成するステップは、
前記第１の押圧部で前記ユーザ操作を受信すると、前記視聴情報にマッチングする確認信号を生成するステップと、
前記第２の押圧部で前記ユーザ操作を受信すると、前記視聴情報にマッチングする補助メニュー制御信号を生成するステップと、を含む。
【００３２】
選択的な一実施形態において、前記物理的遠隔操作ユニットは、前記第１の押圧部と前記第２の押圧部との間に設置された第１のボタンをさらに含み、
前記物理的遠隔操作ユニットで受信されたユーザ操作に応じて前記視聴情報の制御信号を生成するステップは、
前記第１のボタンで前記ユーザ操作を受信すると、音声信号を受信し、前記音声信号に応じて音声制御信号を生成するか、又は前記音声信号を文字入力内容に変換するステップを含む。
【００３３】
選択的な一実施形態において、前記物理的遠隔操作ユニットは、前記第１の押圧部と前記第２の押圧部との間に設置されたスクロールホイールをさらに含み、
前記物理的遠隔操作ユニットで受信されたユーザ操作に応じて前記視聴情報の制御信号を生成するステップは、
前記スクロールホイールで前記ユーザ操作を受信すると、数値調整命令を生成するステップを含み、
ここで、前記数値調整命令は、音量調整命令、輝度調整命令、視野サイズ調整命令、シーンサイズ調整命令、視野角回転命令、視野角遠近調整命令、モノのインターネット機器調整命令のうちの少なくとも１つを含む。
【００３４】
選択的な一実施形態において、前記物理的遠隔操作ユニットは、前記下ケース部の側面に設置された第２のボタンをさらに含み、
前記物理的遠隔操作ユニットで受信されたユーザ操作に応じて前記視聴情報の制御信号を生成するステップは、
前記第２のボタンで前記ユーザ操作を受信すると、リターン信号、前のページ信号又はスクリーンキャプチャ信号のうちの少なくとも１つの制御信号を生成するステップ、及び／又は、
前記第２のボタンで前記ユーザ操作を受信すると、オン信号、オフ信号、再起動信号及び電源遮断信号のうちの少なくとも１つの制御信号を生成するステップを含む。
【００３５】
本発明の他の態様によれば、上記の態様及びいずれかの選択的な実施形態に記載のウェアラブル制御機器であって、前記ウェアラブル制御機器は、頭部装着型視聴機器に接続するためのものであり、
プロセッサと
前記プロセッサで実行可能な命令を保存するためのメモリと、を含み、
前記プロセッサは、
前記頭部装着型視聴機器で出力されるＶＲ視聴情報、ＡＲ視聴情報及びＭＲ視聴情報のうちの少なくとも１つを含む視聴情報を生成し、
前記物理的遠隔操作ユニットで受信されたユーザ操作に応じて前記視聴情報の制御信号を生成し、
前記制御信号に応じて前記視聴情報の出力を制御するように構成されるウェアラブル制御機器を提供する。
【発明の効果】
【００３６】
本発明の実施例により提供される技術案は、少なくとも以下のような技術効果を有する。
ウェアラブル制御機器のケースに物理的遠隔操作ユニットを設置することにより、ユーザは、このケース上の物理的遠隔操作ユニットを直接使用して頭部装着型視聴機器に表示される視聴情報を制御し、単独で設置された無線リモコンを使用する必要がないので、関連技術における無線リモコンが紛失されやすいという問題を解決し、ウェアラブル制御機器の携帯性及び機能性を向上させる。
【図面の簡単な説明】
【００３７】
以下、本願の実施例における技術案をより明確に説明するために、実施例の記載に使用する必要がある図面を簡単に紹介する。なお、以下に説明する図面はただ本願の一部の実施例に過ぎず、当業者であれば、創造的な労働を経ずに、これらの図面によって他の図面を得ることができることは、自明である。
【図１】関連技術で提供された拡張現実システムの構造模式図である。
【図２】本発明の例示的な一実施例により提供される拡張現実システムの構造模式図である。
【図３】本発明の例示的な一実施例により提供されるＶＲ型頭部装着型視聴機器の外観模式図である。
【図４】本発明の例示的な一実施例により提供されるＡＲ型頭部装着型視聴機器の外観模式図である。
【図５】本発明の例示的な一実施例により提供されるウェアラブル制御機器の斜視図である。
【図６】本発明の例示的な一実施例により提供されるウェアラブル制御機器の正面図である。
【図７】本発明の例示的な一実施例により提供されるウェアラブル制御機器の背面図である。
【図８】本発明の例示的な一実施例により提供されるウェアラブル制御機器の左側面図である。
【図９】本発明の例示的な一実施例により提供されるウェアラブル制御機器の右側面図である。
【図１０】本発明の例示的な一実施例により提供されるウェアラブル制御機器の底面図である。
【図１１】本発明の例示的な一実施例により提供されるウェアラブル制御機器の上面図である。
【図１２】本発明の例示的な一実施例により提供されるウェアラブル制御機器の使用過程中の状態の参照図である。
【図１３】本発明の例示的な一実施例により提供されるウェアラブル制御機器の制御方法のフローチャートである。
【図１４】本発明の例示的な一実施例により提供される拡張現実システムのブロック図である。
【図１５】本発明の例示的な一実施例により提供されるウェアラブル制御機器の実現の効果図である。
【発明を実施するための形態】
【００３８】
以下、図面を参照しながら本発明の実施例をより詳しく説明する。本発明の一部の実施例が図面に示されているが、本発明は、様々な形態で実現され、本明細書に記載の実施例に限定されるものとして解釈されるべきではなく、逆に、これらの実施例を提供するのは、本発明をより徹底的且つ完全的に理解するためである。なお、本発明の図面及び実施例は、単に例示的なものであって、本発明の保護範囲を限定するものではない。
【００３９】
本明細書で使用される用語「含む」及びその変形は、開放的な包含であり、即ち「を含むが、これに限定されない」ことを意味する。用語「に基づき」は、「少なくとも部分的に基づき」ことを意味する。用語「１つの実施例」は、「少なくとも１つの実施例」を意味し、用語「他の実施例」は、「少なくとも１つの他の実施形態」を意味する。他の用語に関する定義については後述する。
【００４０】
仮想現実技術（Ｖｉｒｔｕａｌ  Ｒｅａｌｉｔｙ、ＶＲ）は、サイバースペース技術又は人工環境とも呼ばれ、コンピュータシミュレーションにより３次元空間の仮想世界を生成し、ユーザに視覚、聴覚、触覚などの感覚のシミュレーションを提供して、ユーザがあたかも自分が経験しているかのように即時且つ無制限に３次元空間における事物を観察することを可能にする。ユーザが位置移動を行うと、コンピュータは、すぐに複雑な演算を行い、臨場感よく正確な３Ｄ世界映像を表現作り出すことができる。仮想現実（ＶＲ）で見たシーンと人がいずれも偽者であり、人間の意識を仮想世界に導入したものである。
【００４１】
拡張現実技術（Ａｕｇｍｅｎｔｅｄ  Ｒｅａｌｉｔｙ、ＡＲ）は、コンピュータ技術により現実世界と仮想世界を同一の画面又は同一の空間に重ね合わせ、現実世界と仮想世界でのユーザのインタラクションを拡張する。
【００４２】
複合現実技術（Ｍｉｘｅｄ  Ｒｅａｌｉｔｙ、ＭＲ）は、仮想現実技術（ＶＲ）と拡張現実技術（ＡＲ）の利点を組み合わせ、コンピュータ技術により仮想世界と現実世界を混合し、拡張現実技術と比較して、新たな視覚化環境を生成するとともに物理エンティティと仮想情報を含み、ユーザがリアルタイムで環境とインタラクションを行うことができる。環境における仮想物体の相対位置とユーザの移動位置とは、互いに独立しており、ユーザが見た仮想物体と真実物体はほとんど区別できない。
【００４３】
図１は、関連技術で提供された拡張現実システム１００を示す構造ブロック図である。この拡張現実システム１００は、頭部装着型視聴機器１０２と、ウェアラブル制御機器１０４と、無線リモコン１０６と、を含む。頭部装着型視聴機器１０２とウェアラブル制御機器１０４との間は有線接続によって接続され、ウェアラブル制御機器１０４と無線リモコン１０６との間は無線接続によって接続される。
【００４４】
頭部装着型視聴機器１０２は、ＡＲ視聴情報を表示（又は再生、出力）するように構成される。
【００４５】
ウェアラブル制御機器１０４は、ＡＲ視聴情報を生成し、ＡＲ視聴情報を頭部装着型視聴機器１０２に送信するように構成される。ウェアラブル制御機器１０４は、無線リモコン１０６から報告された制御信号を受信し、制御信号に応じてＡＲ視聴情報を調整又は変更するように構成される。
【００４６】
無線リモコン１０６は、ユーザ操作を受信し、ユーザ操作に応じて制御信号を生成し、無線接続により頭部装着型視聴機器１０２にこの制御信号を報告するように構成される。
【００４７】
使用過程において、ユーザは、頭部装着型視聴機器１０２を頭部に着用し、ウェアラブル制御機器１０４を腰部に着用し、無線リモコン１０６を手に持つ。ウェアラブル制御機器１０４は、ＡＲ視聴情報を生成して頭部装着型視聴機器１０２に送信し、頭部装着型視聴機器１０２は、ＡＲ視聴情報を出力（又は再生）する。ユーザが頭部装着型視聴機器１０２の表示を制御する必要がある場合、無線リモコン１０６を用いて制御を行う。
【００４８】
ＡＲの使用シーンは真実世界と組み合わせたシーンであるので、拡張現実システム１００の携帯性に対する要求が高く、ユーザが異なる真実シーンを移動する場合、非常に無線リモコン１０６を紛失しやすくなる。
【００４９】
本発明の実施例は、無線リモコンをウェアラブル制御機器に組み込んで、ユーザが無線リモコンを単独で携帯する必要がなく、頭部装着型視聴機器を制御することができるウェアラブル制御機器を提供する。
【００５０】
図２は、本発明の例示的な一実施例により提供される仮想・拡張現実システム２００を示すブロック図である。このシステム２００は、頭部装着型視聴機器２０２と、ウェアラブル制御機器２０４とを含む。頭部装着型視聴機器２０２とウェアラブル制御機器２０４とは、有線接続又は無線接続によって接続される。
【００５１】
頭部装着型視聴機器２０２は、ＶＲ視聴情報、ＡＲ視聴情報及びＭＲ視聴情報のうちの少なくとも１つを含む視聴情報を出力（又は再生）するように構成される。ＶＲ視聴情報は、全仮想の３次元世界を表現させるための視聴情報である。ＡＲ視聴情報は、現実世界に重ね合わせて表示される仮想要素を表現させるための視聴情報である。この仮想要素は、仮想人物、仮想アニメキャラクター、仮想動物、仮想植物、仮想非生物物体、仮想メニュー、仮想チャート、仮想映像のうちの少なくとも１つである。
【００５２】
ウェアラブル制御機器２０４は、頭部装着型視聴機器２０２で出力（又は再生）される視聴情報を生成し、頭部装着型視聴機器２０２に視聴情報を送信するように構成される。ウェアラブル制御機器２０４のケースには、少なくとも１つの物理的遠隔操作ユニットがさらに設置されており、ウェアラブル制御機器２０４は、さらに、物理的遠隔操作ユニットで受信されたユーザ操作に応じて視聴情報の制御信号を生成し、この制御信号に応じて視聴情報の出力を制御するように構成される。
【００５３】
図２による選択的な実施例において、上記の頭部装着型視聴機器２０２は、ＶＲ視聴情報を出力（又は再生）するためのメガネ機器である。図３を参照すると、図３は、本発明の例示的な一実施例により提供される頭部装着型視聴機器２０２を示すブロック図である。この頭部装着型視聴機器２０２は、メガネ本体１０と、メガネ本体１０をユーザの顔に固定するための装着構造２０と、を含む。
【００５４】
メガネ本体１０には、第１の表面１２と第２の表面１４とが形成されている。ここで、第１の表面１２は、ユーザの顔に向かって貼り付けられ、第２の表面１４に対応するケースの内部には、ディスプレイが設置されている。いくつかの実施例において、このディスプレイは、左眼に対応する左ディスプレイと右眼に対応する右ディスプレイとを含んでもよい。このディスプレイは、ＶＲ視聴情報におけるビデオ情報を出力（又は再生）するためのものである。
【００５５】
装着構造２０は、固定接続部２２と装着調整部２４とを含む。
【００５６】
固定接続部２２の底部がメガネ本体１０の頂部に固定的に接続されており、この固定接続部２２とこの装着調整部２４が両方とも弧状をなし、且つユーザの頭部に対応する環状構造に囲まれることにより、ユーザがこのメガネ機器を着用できるようにする。ここで、この装着調整部２４は、この装着構造２０を異なるユーザの頭部のサイズに適合させるように、上記の環状構造の寸法を調整するためのものである。
【００５７】
選択的に、メガネ本体１０には、接続線インタフェース（図２には未図示）がさらに設置されており、メガネ本体１０は、この接続線インターフェイスを介して接続線によりウェアラブル制御機器２０４に接続される。
【００５８】
いくつかの実施例において、この固定接続部２２には、ＶＲ視聴情報における聴覚情報を再生するためのイヤホンがさらに設置されている。
【００５９】
図２による選択的な実施例において、上記の頭部装着型視聴機器２０２は、ＡＲ視聴情報を出力（又は再生）するためのメガネ機器である。図４を参照すると、図４は、本発明の例示的な一実施例により提供される頭部装着型視聴機器２０２を示すブロック図である。この頭部装着型視聴機器２０２は、メガネ本体３０と２つのテンプル３２とを含む。
【００６０】
メガネ本体３０には、第１の表面３１と第２の表面３３が形成されている。ここで、第１の表面３１は、ユーザの顔に向かって貼り付けられ、第２の表面３３は、ユーザ顔から離れた側に向かっており、第２の表面３３には、２つのカメラモジュール３４が設置されている。この２つのカメラモジュール３４の間には、例えば１ｃｍ又は２ｃｍの離隔距離がある。選択的に、この２つのカメラモジュール３４は、現実環境における環境画面及び物体距離を収集するためのものである。
【００６１】
一可能な実施例において、第１の表面３１のユーザの眼部に向かう２つの領域には、それぞれディスプレイが設置されている。このディスプレイは、左眼に対応する左ディスプレイと右眼に対応する右ディスプレイとを含んでもよい。このディスプレイは、２つのカメラモジュール３４で収集した現実環境の環境画面及びＡＲ視聴情報におけるビデオ情報を再生するためのものである。
【００６２】
可能な他の実施例において、第１の表面３１のユーザの眼部に向かう２つの領域には、それぞれ透明レンズが設置されている。同時に、２つのテンプル３２には、透明レンズに向かう投影ユニット（図３には未図示）がさらに設置されており、この投影ユニットは、ＡＲ視聴情報におけるビデオ情報を透明レンズに投影した後、それを、ユーザが透明レンズを通して観察した現実環境の環境画面に重ね合わせるためのものである。
【００６３】
ＭＲ型の頭部装着型視聴機器については、ＡＲ型の頭部装着型視聴機器の外観模式図（図４を参照）を参照してもよいが、当業者がＡＲ型の頭部装着型視聴機器の外観模式図から得られるＭＲ型の頭部装着型視聴機器に係る技術案は容易に想到できるものである。
【００６４】
図５は、本発明の例示的な一実施例により提供されるウェアラブル制御機器２０４を示すブロック図である。このウェアラブル制御機器２０４は、ケース５０と、ケース５０上に設置された少なくとも１つの物理的遠隔操作ユニット５２と、ケース５０内に設置された計算モジュール（未図示）と、を含み、計算モジュールと物理的遠隔操作ユニット５２とが電気的に接続される。
【００６５】
計算モジュールは、頭部装着型視聴機器２０２で出力（又は再生）されるＶＲ視聴情報、ＡＲ視聴情報及びＭＲ視聴情報のうちの少なくとも１つを含む視聴情報を生成し、物理的遠隔操作ユニット５２で受信されたユーザ操作に応じて視聴情報の制御信号を生成し、制御信号に応じて視聴情報の出力を制御するように構成される。
【００６６】
選択的に、ケース５０は、Ｕ型ケースであり、Ｕ型ケースの一端には、下ケース部５１が形成されており、Ｕ型ケースの他端には、上ケース部５３が形成されており、Ｕ型ケースの湾曲部分には、移行部５４が形成されている。
【００６７】
少なくとも１つの物理的遠隔操作ユニット５２は、上ケース部の上面に設置されている。下ケース部５１と上ケース部５３との対向する２つの表面との間には、スリット５５が形成されている。
【００６８】
選択的に、物理的遠隔操作ユニット５２は、物理ボタン、仮想ボタン、スクロールホイール、ロッカーレバー、トラックボールのうちの少なくとも１つを含む。本実施例は、上ケース部５３の上面における物理的遠隔操作ユニット５２の設置位置を限定するものではなく、同時に、物理的遠隔操作ユニット５２の種類及び数を限定するものではない。
【００６９】
上記のように、本実施例により提供されるウェアラブル制御機器は、ウェアラブル制御機器のケースに物理的遠隔操作ユニットを設置することにより、ユーザがこのケース上の物理的遠隔操作ユニットを直接使用して頭部装着型視聴機器に表示される視聴情報を制御し、単独で設置された無線リモコンを使用する必要がないので、関連技術における無線リモコンが紛失されやすいという問題を解決し、ウェアラブル制御機器の携帯性及び機能性を向上させる。
【００７０】
図６乃至図１１は、本発明の他の例示的な一実施例により提供されるウェアラブル制御機器２０４を示す６つの平面図である。ウェアラブル制御機器２０４は、頭部装着型視聴機器２０２に接続するためのものであり、ウェアラブル制御機器２０は、並行して設置された上ケース部５３と下ケース部５１とを含み、上ケース５３と下ケース部５１との対向する２つの表面との間には、スリット５５が形成されている。上ケース部５３と下ケース部５１のテール部が移行部５４を介して接続されている。
【００７１】
上ケース部５３は、複数の物理的遠隔操作ユニット５２が設置されたケース部である。上ケース部５３は、長い扁平状をなしている。上ケース部５３は、移行部５４に近接したテール部と移行部５４から離れた頂部とを含む。上ケース部５３は、上面と、２つの側面と、下ケース部５１に向かう表面とを含む。上ケース部５３の上面には、少なくとも１つの物理的遠隔操作ユニット５２が設置されている。
【００７２】
上ケース部５３の上面のエッジ領域には、第１の押圧部５２１と第２の押圧部５２２が並列に設置されている。ここで、エッジ領域は、上面における移行部５４から離れた局所領域である。第１の押圧部５２１は左ボタンと、第２の押圧部５２２は右ボタンと呼ばれることができてもよい。可能な一設計において、第１の押圧部５２１に対応するケースは弾性を有し、この第１の押圧部５２１の下方に第１マイクロスイッチが設置されており、第１の押圧部５２１が押圧されると、第１マイクロスイッチがトリガーされて電気信号が生成される。対応的に、第２の押圧部５２２に対応するケースは弾性を有し、この第２の押圧部５２２の下方に第２マイクロスイッチが設置され、第２の押圧部５２２が押圧されると、第２マイクロスイッチがトリガーされて電気信号を生成する。
【００７３】
第１の押圧部５２１と第２の押圧部５２２との間には、離隔領域が存在する。物理的遠隔操作ユニット５２は、第１の押圧部５２１と第２の押圧部５２２との間に設置された第１のボタン５２３とスクロールホイール５２４とをさらに含む。下ケース部５１の側面には、第２のボタン５２５がさらに設置されている。
【００７４】
ここで、第１のボタン５２３と第２のボタン５２５は、マイクロスイッチ又は仮想ボタンを用いて実現される。スクロールホイール５２４は、物理スクロールホイール又は仮想スクロールホイールを用いて実現されてもよい。
【００７５】
下ケース部５１は、長い扁平状をなしている。下ケース部５１は、移行部５４に近接したテール部と移行部５４から離れた頂部とを含む。下ケース部５１は、下面と、２つの側面と、上ケース部５３に向かう表面とを含む。
【００７６】
上ケース部５３及び／又は下ケース部５１の内部には、頭部装着型視聴機器２０２に対応する計算モジュール（未図示）が設置されており、計算モジュールと各物理的遠隔操作ユニット５２とは電気的に接続されている。
【００７７】
計算モジュールは、プロセッサとメモリとを含む。この計算モジュールは、１つのチップ又は複数のチップとして実現されてもよい。計算モジュールが複数のチップとして実現される場合、任意の２つのチップの分業は、同じであっても異なってもよい。一部のチップは、上ケース部５３に設置されてもよく、他のチップは、下ケース部５１に設置されてもよい。上ケース部５３と下ケース部５１のうちの少なくとも１つには、電池がさらに設置されている。
【００７８】
移行部５４には、頭部装着型視聴機器２０２に接続するための接続線が設置されている。上ケース部５３の長さは、下ケース部５１の長さよりも短い。上ケース部５３の長さは、上ケース部５３の頂部から底部までの距離であり、下ケース部５１の長さは、下ケース部５１の頂部から底部までの距離である。
【００７９】
上記の各物理的遠隔操作ユニット５２の動作方式は、以下のような少なくとも１つを含む。
【００８０】
Ｉ．第１の押圧部５２１でユーザ操作を受信すると、計算モジュールは、視聴情報にマッチングする確認信号、ドラッグ制御信号、多肢選択制御信号のうちの少なくとも１つを生成する。
【００８１】
第１の押圧部５２１は、「左ボタン」又は「確認ボタン」と呼ばれることができ、ユーザ操作は、シングルクリック操作、ダブルクリック操作、長押し信号のうちの少なくとも１つを含む。
【００８２】
確認信号とは、確認を意味するか、類似確認を意味する信号を指す。例えば、確認信号は、確認、同意、許可、次のステップなどの意味を表示することができる。確認信号の名称又は意味は、視聴情報によりわずかに変化する可能性があるが、本願の実施例はこの変化を限定しない。ドラッグ制御信号は、例えば目標対象をある位置から別の位置にドラッグすることなどの目標対象に対するドラッグ制御操作であってもよく、ここではドラッグ操作の開始位置及び目標位置を限定しない。多肢選択制御信号は、複数の目標対象を選択するための制御操作であり、ここでは多肢選択制御信号の制御対象及び選択数を限定しない。
【００８３】
一例において、第１の押圧部５２１でシングルクリック操作を受信すると、計算モジュールは、視聴情報にマッチングするシングルクリック確認信号を生成し、第１の押圧部５２１で長押し操作を受信すると、計算モジュールは、視聴情報にマッチングするドラッグ制御信号又は多肢選択制御信号を生成する。
【００８４】
ＩＩ．第２の押圧部５２２でユーザ操作を受信すると、計算モジュールは、視聴情報にマッチングする補助メニュー制御信号を生成する。
【００８５】
第２の押圧部５２２は、「右ボタン」又は「メニューボタン」と呼ばれることができ、補助メニュー制御信号とは、視聴情報に関連する補助メニューを意味する。補助メニュー制御信号の内容は、視聴情報によりわずかに変化する可能性があるが、本願の実施例はこの変化を限定しない。一実施例において、補助メニュー制御信号は、ビューモードメニュー、ソートモードメニュー、新規コンテンツメニュー、設定メニュー、カット、コピー、ペースト、音量調整メニュー、輝度調整メニュー、視野調整メニュー、数値調整メニューのうちの少なくとも１つを含む。
【００８６】
一例において、視聴情報が現実シーンに重ね合わせて表示される泳ぐ可能なサメである場合、第２の押圧部５２２でシングルクリック操作を受信すると、補助メニューがポップアップする。この補助メニューにコピーオプションがあり、ユーザがこのコピーオプションをクリックして、泳ぐ可能な別のサメを現実シーンに重ね合わせて表示することができる。
【００８７】
ＩＩＩ．第１のボタン５２３でユーザ操作を受信すると、計算モジュールは、音声信号を受信し、音声信号に応じて音声制御信号を生成するか、又は音声信号を文字入力内容に変換する。
【００８８】
第１のボタン５２３は、「音声活性化ボタン」と呼ばれることができ、ユーザ操作は、長押し操作又はダブルクリック操作を含む。
【００８９】
第１のボタン５２３で長押し操作を受信すると、第１のボタン５２３が押圧されている過程において、計算モジュールは、音声識別を行い、マイクロフォンで収集した音声信号を受信し、この音声信号識別に応じて識別して音声制御信号を取得する。選択的に、マイクロフォンは、ウェアラブル制御機器に設置されるか、或いは、頭部装着型視聴機器に設置されるか、又は第三者のマイクロフォン機器でもよい。
【００９０】
第１のボタン５２３でダブルクリック操作を受信すると、計算モジュールは、音声を文字に変換するサービスを開始し、この音声を文字に変換するサービスを利用してマイクロフォンで収集した音声信号を文字入力内容に変換する。
【００９１】
又は、長押し操作を受信すると、音声信号を文字入力内容に変換し、ダブルクリック操作を受信すると、音声信号を収集し識別して音声制御信号を取得し、ここでは限定しない。
【００９２】
ＩＶ．スクロールホイール５２４でユーザ操作を受信すると、数値調整命令を生成する。数値調整命令は、視聴情報に関連する任意の数値を調整するための命令である。ここで、数値調整命令は、音量調整命令、輝度調整命令、視野サイズ調整命令、シーンサイズ調整命令、視野角回転命令、視野角遠近調整命令、モノのインターネット機器調整命令のうちの少なくとも１つを含む。
【００９３】
スクロールホイール５２４は、機械的スクロールホイール又は仮想ボタンのスクロールホイールである。選択的に、このスクロールホイール５２４は、双方向スクロールホイール又は四方向スクロールホイールである。スクロールホイール５２４でユーザ操作を受信すると、視聴情報にマッチングする数値調整命令を生成する。視聴情報は、聴覚情報と視覚情報とを含む。
【００９４】
例示的に、ユーザ操作は、スクロールホイール５２４でスクロール又はスライドする操作である。
【００９５】
例示的に、音量調整命令は、聴覚情報に対して音量を上げるかまたは下げる命令である。輝度調整命令は、視覚情報に対して輝度を上げるかまたは下げる命令である。視野サイズ調整命令は、視覚情報における視野を拡大又は縮小する命令である。シーンサイズ調整命令は、視覚情報における環境シーン（又は仮想物体）を拡大又は縮小する命令である。視野角回転命令は、視覚情報における仮想視野角を回転させる命令であり、この回転は、上向き、下向き、左向き、右向きのうちの少なくとも１つを含む。視野角遠近調整命令は、視覚情報における仮想視野角を遠く又は近くする命令である。モノのインターネット機器調整命令は、バインディングされたモノのインターネット機器（例えばスマートホームデバイス）の動作パラメータを調整する命令である。
【００９６】
Ｖ．第２のボタン５２５でユーザ操作を受信すると、計算モジュールは、リターン信号、前のページ信号又はスクリーンキャプチャ信号のうちの少なくとも１つの制御信号を生成する。
【００９７】
第２のボタン５２５は、「電源ボタン」とも呼ばれ、リターン信号は、ホームページ又は上位メニューに戻る信号である。前のページ信号は、複数のページがある場合、現在のページの前のページに戻る信号である。スクリーンキャプチャ信号は、現在表示されている視聴情報をキャプチャする信号である。
【００９８】
例示的に、第２のボタン５２５でシングルクリック操作を受信すると、計算モジュールは、視聴情報にマッチングするリターン信号、前のページ信号又はスクリーンキャプチャ信号のうちの少なくとも１つの制御信号を生成する。
【００９９】
ＶＩ．第２のボタン５２５でユーザ操作を受信すると、計算モジュールは、オン信号、オフ信号、再起動信号及び電源遮断信号のうちの少なくとも１つの制御信号を生成する。
【０１００】
オン信号は、ウェアラブル制御機器（又はウェアラブル機器及び頭部装着型視聴機器）をオンにするための信号であり、オフ信号は、ウェアラブル制御機器（又はウェアラブル機器及び頭部装着型視聴機器）をオフにするための信号であり、再起動信号は、ウェアラブル制御機器（又はウェアラブル機器及び頭部装着型視聴機器）を再起動するための信号である。
【０１０１】
例示的に、在第２のボタン５２５で第１の長押し操作（例えば２秒間長押し）を受信する場合、ウェアラブル制御機器がオン状態にあると、計算モジュールは、オフ信号又は再起動信号を生成し、ウェアラブル制御機器がオフ状態にあると、計算モジュールは、オン信号を生成する。
【０１０２】
第２のボタン５２５で第２の長押し操作を受信する場合（例えば６秒間長押し）、ウェアラブル制御機器がオン状態にあると、計算モジュールは、電源遮断信号を生成する。
【０１０３】
ユーザは、上記のいくつかのボタンを組み合わせて使用することにより異なる機能を実現することができ、例えば２つのボタン又は押圧部を同時に押圧することによりプリセット機能をトリガーするが、本実施例は、これに対して限定しない。いくつかの実施例において、上記の各物理的遠隔操作ユニットの機能は、ユーザのカスタマイズをサポートし、各物理的遠隔操作ユニットに対応する機能又はショートカットは、ユーザによりカスタマイズされる。
【０１０４】
本実施例の一例として、着用された頭部装着型視聴機器とこのウェアラブル制御機器とが接続されたかどうかをユーザに確認するように、頭部装着型視聴機器とこのウェアラブル制御機器とが接続する場合、ユーザが頭部装着型視聴機器に表示される提示メッセージを受信し、このメッセージは、この頭部装着型視聴機器の名称及び型番を表示する。この時、ユーザは、実際の状況に応じて対応する選択を行う必要があり、着用された頭部装着型視聴機器とこのメッセージに表示される頭部装着型視聴機器の名称及び型番と一致すると、ユーザは、このウェアラブル制御機器における第１の押圧部５１を１回クリック（即ち、左ボタンをシングルクリック）し、提示メッセージにおける「確定」の仮想ボタンを選択し、これにより、計算モジュールが確認命令を生成するようにトリガーし、この頭部装着型視聴機器との接続の確認プロセスを完成する。
【０１０５】
本実施例の他の例として、ユーザが着用された頭部装着型視聴機器に表示される内容を管理する場合、例えば、ユーザが閲覧された写真を新規フォルダに入れると、第１の押圧部５２１（即ち、左ボタンを長押しし）を押圧し続けることにより、選択された写真をドラッグして、選択された写真をこの新規フォルダに入れることを実現する。また、例えば、ユーザが写真を一括削除する必要がある場合、左ボタン３０１を長押することで削除しようとする写真を選択し、且つ、写真をごみ箱にドラッグして、選択された写真の一括削除を実現する。
【０１０６】
本発明の実施例によれば、上記の第２の押圧部５２２は、受信された長押し信号に応答して、上記の計算モジュールが補助メニュー生成命令を生成するようにトリガーして補助メニューを呼び出すように構成される。本実施例の一例として、ユーザがウェアラブル制御機器の属性パラメータを変更する場合、例えば、ユーザが第２の押圧部５２２を押圧し続ける（即ち、右ボタンを長押しする）場合、頭部装着型視聴機器のディスプレイインターフェイスに補助メニューがポップアップする。
【０１０７】
本実施例の一例として、ユーザが頭部装着型視聴機器に表示されるアプリケーションのアイコンを変更する場合、第２の押圧部５２を押圧し続けて（即ち、右ボタンを長押しして）、マスター制御回路が補助メニュー命令を生成するようにトリガーし、頭部装着型視聴機器に補助メニューが表示され、「アイコンの変更」の仮想ボタンを選択して、頭部装着型視聴機器に表示されるアプリケーションのアイコンの変更を実現する。なお、上記の補助メニューは、複数のショートカットオプションを含み、各ショートカットオプションは、上記の計算モジュールがショートカット命令を生成するようにトリガーして、光学表示機器のショートカット操作を制御することができる。例えば、ユーザが頭部装着型視聴機器に表示される文字のサイズを変更する場合、右ボタンを長押しして、マスター制御回路が補助メニュー命令を生成するようにトリガーし、頭部装着型視聴機器に補助メニューが表示され、補助メニューに「文字サイズの設定」のショートカットオプションが表示され、「文字サイズの設定」のショートカットオプションを選択して、文字のサイズの変更を実現する。上記の補助メニューに含まれるショートカットオプションにより、ユーザが頭部装着型視聴機器の一部のパラメータを変更する手順を簡略化して、ユーザの使用に便利であると理解すべきである。選択的に、上記の補助メニューに含まれるショートカットオプションは、ユーザの使用習慣に応じて変更することができ、例えば、上記のショートカットオプションは、「アイコンの変更」、「文字サイズの設定」などの個性的設定に設定されてもよく、「新規事項の追加」、「メールの閲覧」などの機能的設定に設定されてもよい。
【０１０８】
本発明のいくつかの実施例において、上記の物理的制御ユニットは、上記の第１の押圧部５１と上記の第２の押圧部５２との間に設置された第１のボタン５２３をさらに含む。
【０１０９】
本発明の実施例によれば、上記の第１のボタン５２３は、以下のように構成されている。押圧信号を受信すると、計算モジュールが音声識別命令を生成するようにトリガーすることで、音声データを識別する。リフティング信号を受信すると、計算モジュールがオフ命令を生成するようにトリガーすることで、音声識別機能をオフにする。ダブルクリック信号を受信すると、計算モジュールが変換命令を生成するようにトリガーすることで、音声識別機能を文字入力機能に変換する。
【０１１０】
本実施例の一例として、ユーザが音声チャット機能によりチャット対象とチャットすることを例とすると、ユーザがチャット対象に音声形式のメッセージを送信してチャットする必要がある場合、第１の押圧部５１と第２の押圧部５２との間に設置された第１のボタン５２３を押圧し、この第１のボタン５２３が押圧信号を受信すると、計算モジュールが音声識別命令を生成するようにトリガーし、これにより、音声データを識別し、音声形式のメッセージを生成する。ユーザが表現すべき内容を完了した後、第１のボタン５２３を離す場合、この第１のボタン５２３がリフティング信号を受信すると、計算モジュールがオフ命令を生成するようにトリガーし、これにより、音声データ識別をオフにし、上記の生成された音声形式のメッセージがチャット対象に送信される。チャット対象が音声を送信するのに不便な環境にある場合、例えば、ユーザが静かなライブラリにおいてチャット対象とチャットする場合、第１のボタン５２３をダブルクリックし、この音声識別活性化ボタン５２３がダブルクリック信号を受信すると、計算モジュールが変換命令を生成するようにトリガーし、これにより、音声識別機能を文字入力機能に変換し、ユーザは、文字を入力してチャット対象とチャットする。
【０１１１】
本実施例の他の例として、上記の第１のボタン５２３は、識別された音声を文字形式のメッセージに変換して送信することもできる。文字による入力が不可能であり、且つチャット対象が受信された音声メッセージに応答するのに不便である場合、例えば、チャット対象が劇場にいる場合、ユーザは、第１のボタン５２３をダブルクリックすることができ、音声から文字入力への変換の機能を選択して、識別された音声を文字形式のメッセージに変換することを実現できる。
【０１１２】
本発明のいくつかの実施例において、上記の物理的制御ユニットは、図６に示すように、上記の第１の押圧部５２１と上記の第２の押圧部５２２との間に設置されたスクロールホイール５２４をさらに含む。本発明の実施例によれば、上記のスクロールホイール５２４は、スクロール信号を受信すると、上記の計算モジュールが調整命令を生成するようにトリガーすることで、頭部装着型視聴機器の各種パラメータを調整するように構成される。選択的に、スクロールホイール５２４を上方向（即ち、第１のボタン５２３に向かう方向）にスライドさせてもよく、スクロールホイール５２４を下方向（即ち、第１のボタン５２３から離れた方向）にスライドさせてもよい。
【０１１３】
本実施例の一例として、頭部装着型視聴機器の表示内容の輝度を調整することを例として説明する。頭部装着型視聴機器のディスプレイの輝度が暗すぎる場合、スクロールホイール５２４を上方向（即ち、第１のボタン５２３に向かう方向）にスライドさせ、スクロールホイール５２４がスクロール信号を受信すると、上記の計算モジュールが表示輝度調整命令を生成するようにトリガーすることにより、頭部装着型視聴機器のディスプレイの輝度を向上させる。また、例えば、ユーザが頭部装着型視聴機器によりビデオを視聴する場合、ビデオの音が大きすぎて、スクロールホイール５２４を下方向（即ち、第１のボタン５２３から離れた方向）にスライドさせ、スクロールホイール５２４がスクロール信号を受信すると、上記の計算モジュールが音量調整命令を生成するようにトリガーすることにより、頭部装着型視聴機器で再生されているビデオの音量を減少させる。
【０１１４】
本発明のいくつかの実施例において、上記の物理的制御ユニットは、図６に示すように、上記の下ケース部５１の表面エッジに設置された第２のボタン５２５を含む。本発明の実施例によれば、この第２のボタン５２５は、長押し信号を受信すると、上記の計算モジュールがオン・オフ命令を生成するようにトリガーすることで、上記のウェアラブル制御機器のオン・オフを制御するように構成される。
【０１１５】
本実施例の一例として、このウェアラブル制御機器を使用しない場合、上記の下ケース５１の表面エッジに設置された第２のボタン５２５を押圧し続け（即ち、多機能物理ボタンを長押しし）、この第２のボタン５２５が長押し信号を受信すると、上記の計算モジュールがオフ命令を生成するようにトリガーすることにより、ウェアラブル制御機器をオフ状態にする。このウェアラブル制御機器を起動する必要がある場合、下ケース部５１の表面エッジに設置された第２のボタン５２５を長押しし、この第２のボタン５２５が長押し信号を受信すると、上記の計算モジュールがオン命令を生成するようにトリガーすることにより、ウェアラブル制御機器を起動して、ウェアラブル制御機器をオン状態にすると理解すべきである。
【０１１６】
本発明のいくつかの実施例において、上記の第２のボタン５２５は、クリック信号を受信すると、上記の計算モジュールがリターン命令を生成するようにトリガーすることで、上記の光学表示機器が前のページ又は前のステップの操作に戻ることを制御するようにさらに構成される。
【０１１７】
本実施例の他の例として、頭部装着型視聴機器を使用してウェブページを閲覧することを例とすると、上記のウェアラブル制御機器に成功的に接続された頭部装着型視聴機器を使用して現在のウェブページを閲覧する場合、頭部装着型視聴機器に現在表示されたウェブページの前のページの内容を閲覧する必要があると、第２のボタン５２５をクリックし（即ち、第２のボタン５２５をクリックし）、上記の計算モジュールがリターン命令を生成するようにトリガーすることにより、頭部装着型視聴機器に現在表示されたウェブページから前のウェブページに戻るように制御する。この第２のボタン５２５がクリック信号を受信すると、上記の計算モジュールが生成されたリターン命令をトリガーし、他のアプリケーションインターフェイスに戻る操作にも使用され、例えば、上記のウェアラブル制御機器に成功的に接続された頭部装着型視聴機器を使用してオンラインでビデオを視聴する場合、ビデオを再生するためのアプリケーションのホームページで他の視聴可能なビデオを検索する必要があると、第２のボタン５２５をクリックし、上記の計算モジュールがリターン命令を生成するようにトリガーすることにより、頭部装着型視聴機器に現在表示された内容が変更されるように制御することで、現在のビデオ再生インターフェイスからビデオアプリケーションのホームページに戻ると理解すべきである。
【０１１８】
本発明のいくつかの実施例において、上記の下ケース部と上ケース部との間には、スリットが形成されている。本発明の実施例によれば、スリットは、上記のウェアラブル制御機器をユーザの衣服に固定するためのものである。
【０１１９】
本実施例の一例として、上記のウェアラブル制御機器を使用する場合、図１２に示すように、このウェアラブル制御機器の下ケース部と上ケース部との間に形成されたスリットがユーザの衣服のポケットのエッジを挟むことができ、ユーザが携帯するので便利であるとともに、ウェアラブル制御機器を保管しやすくにし、より多くの構成要素を備える他の頭部装着型視聴機器と比較して、制御ユニットと計算モジュールとを組み合わせることにより、無線リモコンを単独で設置することを減少して、ユーザが無線リモコンを単独で配置することと無線リモコンが紛失されやすいという問題を避けることができる。
【０１２０】
図１３は、本願の例示的な一実施例により提供されるウェアラブル制御機器の制御方法のフローチャートを示す。この方法は、上記のようなウェアラブル機器に適用可能であり、このウェアラブル機器は、頭部装着型視聴機器に電気的に接続されており、この方法は以下のステップを含む。
【０１２１】
ステップ６０１：頭部装着型視聴機器で出力される視聴情報を生成し、この視聴情報は、ＶＲ視聴情報、ＡＲ視聴情報及びＭＲ視聴情報のうちの少なくとも１つを含む。
【０１２２】
ウェアラブル制御機器は、頭部装着型視聴機器の種類又は性能により頭部装着型視聴機器で出力（又は再生）されるＶＲ視聴情報、ＡＲ視聴情報及び両者の組み合わせを生成する。
【０１２３】
例えば、頭部装着型視聴機器がＶＲ視聴情報のみをサポートする場合、ウェアラブル制御機器は、ＶＲ視聴情報を生成し、頭部装着型視聴機器がＡＲ視聴情報のみをサポートする場合、ウェアラブル制御機器は、ＡＲ視聴情報を生成し、頭部装着型視聴機器がＶＲ視聴情報及びＡＲ視聴情報を同時にサポートする場合、ウェアラブル制御機器は、頭部装着型視聴機器の現在の動作模式に応じてＶＲ視聴情報又はＡＲ視聴情報を生成する。
【０１２４】
ステップ６０２：物理的遠隔操作ユニットで受信されたユーザ操作に応じて視聴情報の制御信号を生成する。
【０１２５】
一例において、物理的遠隔操作ユニットは、上ケース部の上面のエッジ領域に並列に設置された第１の押圧部と第２の押圧部とを含む。このステップは、
第１の押圧部でユーザ操作を受信すると、視聴情報にマッチングする確認信号、ドラッグ制御信号、多肢選択制御信号のうちの少なくとも１つを生成するステップと、
第２の押圧部でユーザ操作を受信すると、視聴情報にマッチングする補助メニュー制御信号を生成するステップと、を含む。
【０１２６】
一例において、物理的遠隔操作ユニットは、第１の押圧部と第２の押圧部との間に設置された第１のボタンをさらに含む。このステップは、
第１のボタンでユーザ操作を受信すると、音声信号を受信し、音声信号に応じて音声制御信号を生成するか、又は音声信号を文字入力内容に変換するステップを含む。
【０１２７】
一例において、物理的遠隔操作ユニットは、第１の押圧部と第２の押圧部との間に設置されたスクロールホイールをさらに含む。このステップは、
スクロールホイールでユーザ操作を受信すると、数値調整命令を生成するステップを含む。
【０１２８】
ここで、数値調整命令は、音量調整命令、輝度調整命令、視野サイズ調整命令、シーンサイズ調整命令、視野角回転命令、視野角遠近調整命令、モノのインターネット機器調整命令のうちの少なくとも１つを含む。
【０１２９】
一例において、物理的遠隔操作ユニットは、下ケース部の側面に設置された第２のボタンをさらに含む。このステップは、
第２のボタンでユーザ操作を受信すると、リターン信号、前のページ信号又はスクリーンキャプチャ信号のうちの少なくとも１つの制御信号を生成するステップ、及び／又は、第２のボタンでユーザ操作を受信すると、オン信号、オフ信号、再起動信号及び電源遮断信号のうちの少なくとも１つの制御信号を生成するステップを含む。
【０１３０】
ステップ６０３：制御信号に応じて視聴情報の出力を制御する。
【０１３１】
上記のように、本実施例により提供される方法によれば、ウェアラブル制御機器のケースに物理的遠隔操作ユニットを設置することにより、ユーザは、このケース上の物理的遠隔操作ユニットを直接使用して頭部装着型視聴機器に表示される視聴情報を制御し、単独で設置された無線リモコンを使用する必要がないので、関連技術における無線リモコンが紛失されやすいという問題を解決し、ウェアラブル制御機器の携帯性及び機能性を向上させる。
【０１３２】
本発明の他の実施例において、ウェアラブル制御機器を提供する。前記ウェアラブル制御機器は、上記の態様及びいずれかの選択的な実施形態に記載のウェアラブル制御機器であって、前記ウェアラブル制御機器は、頭部装着型視聴機器に接続するために使用されており、前記機器は、
プロセッサと、
前記プロセッサで実行可能な命令を保存するためのメモリとを含み、
前記プロセッサは、
前記頭部装着型視聴機器で出力される視聴情報を生成し、前記視聴情報は、ＶＲ視聴情報、ＡＲ視聴情報及びＭＲ視聴情報のうちの少なくとも１つを含み、
前記物理的遠隔操作ユニットで受信されたユーザ操作に応じて前記視聴情報の制御信号を生成し、
前記制御信号に応じて前記視聴情報の出力を制御するように構成される。
【０１３３】
一選択的な実施例において、前記プロセッサは、
第１の押圧部でユーザ操作を受信すると、視聴情報にマッチングする確認信号、ドラッグ制御信号、多肢選択制御信号のうちの少なくとも１つを生成し、
第２の押圧部でユーザ操作を受信すると、視聴情報にマッチングする補助メニュー制御信号を生成するように構成される。
【０１３４】
一選択的な実施例において、前記プロセッサは、
第１のボタンでユーザ操作を受信すると、音声信号を受信し、音声信号に応じて音声制御信号を生成するか、又は前記音声信号を文字入力内容に変換するように構成される。
【０１３５】
一選択的な実施例において、前記プロセッサは、
スクロールホイールでユーザ操作を受信すると、数値調整命令を生成するように構成される。
【０１３６】
ここで、数値調整命令は、音量調整命令、輝度調整命令、視野サイズ調整命令、シーンサイズ調整命令、視野角回転命令、視野角遠近調整命令、モノのインターネット機器調整命令のうちの少なくとも１つを含む。
【０１３７】
一選択的な実施例において、前記プロセッサは、
第２のボタンでユーザ操作を受信すると、リターン信号、前のページ信号又はスクリーンキャプチャ信号のうちの少なくとも１つの制御信号を生成するか、及び／又は、第２のボタンでユーザ操作を受信すると、オン信号、オフ信号、再起動信号及び電源遮断信号のうちの少なくとも１つの制御信号を生成するように構成される。
【０１３８】
頭部装着型視聴機器がＡＲ視聴機器であることを例とすると、図１４は、本発明の例示的な一実施例により提供される拡張現実システム１４００の構造ブロック図を示す。この拡張現実システム１４００は、頭部装着型視聴機器２０２とウェアラブル制御機器２０４とを含む。頭部装着型視聴機器２０２は、ＡＲ視聴情報を出力（又は再生）するための機器である。ウェアラブル制御機器２０４は、頭部装着型視聴機器２０２に有線接続（例えば挿抜可能なケーブル）されている。
【０１３９】
選択的に、頭部装着型視聴機器２０２は、左眼と右眼用の表示ユニットとして、積み重ねられた光ガイド光学素子（Ｌｉｇｈｔ−ｇｕｉｄｅ  Ｏｐｔｉｃａｌ  Ｅｌｅｍｅｎｔ，ＬＯＥ）１４２７を使用する。この頭部装着型視聴機器２０２は、投影を実現するための光源１４３１と、コントローラ１４２３と、空間光変調器（ｓｐａｔｉａｌ  ｌｉｇｈｔ  ｍｏｄｕｌａｔｏｒ，ＳＬＭ）１４２５と、少なくとも１組の積み重ねられたＬＯＥ３３９０とをさらに含み、多平面集光システムとして使用される。この拡張現実システム１４００は、目追跡サブシステム（未図示）をさらに含んでもよい。他の実施例が複数組の積み重ねられたＬＯＥ１４４６を有してもよいことを理解すべきである。
【０１４０】
ウェアラブル制御機器２０４は、ユーザに表示されるＡＲ視聴情報（仮想内容と略称する）を生成するように構成される。画像プロセッサ１４４６は、仮想内容に関連する画像又はビデオを、３Ｄでユーザに投影可能なフォーマットに変換することができる。例えば、３Ｄ内容を生成する場合、この仮想内容を初期化することを必要とする場合があり、特定の画像の部分を特定の深さの平面に表示させるが、他の部分を他の深さの平面に表示させる。一実施例において、特定の深さの平面にすべての画像を生成することができる。他の実施例において、画像プロセッサ１４４６は、わずかに異なる画像を右眼と左眼に提供するようにプログラムされて、一緒に見る時に３Ｄ立体効果を現出させる。
【０１４１】
ウェアラブル制御機器２０４は、プロセッサ１４４２と、メモリ１４４４と、画像プロセッサ１４４６と、画像を生成及び処理するための他の回路と、をさらに含んでもよい。ウェアラブル制御機器２０４は、頭部装着型視聴機器２０２に提供される必要のある所望の仮想内容がプログラムされている。画像プロセッサ１４４６は、上記の実施例により提供されるウェアラブル制御機器の制御方法を実現するように、メモリ１４４４におけるコードを実行するためのものである。
【０１４２】
ウェアラブル制御機器２０４は、ケーブルを介して光源１４２１に結合され、光源１４２１は、所望の仮想内容に関連する光を１つ又は複数の空間光変調器１４２５に投射する。光源１４２１は、コントローラ１４２３に結合される。光源１４２１は、特定の色のＬＥＤと、様々な幾何学的構成で設置されたレーザと、を含んでもよい。又は、光源１４２１は、同じ色のＬＥＤ又はレーザを含んでもよく、各レーザは、表示ユニットの視野の特定の領域に結合される。他の実施例において、光源１４２１は、白熱灯又は蛍光灯のような、発光領域及び位置を分割するためのマスク被覆層を有する広域発光器を含んでもよい。
【０１４３】
様々な例示的な実施例において、ＳＬＭ１４２５は、反射型、透過型、又は放射型のものであってもよい。ＳＬＭ１４２５の種類（例えば、速度、サイズなど）を選択して３Ｄ知覚の作成を改善することができる。ＳＬＭ１４２５は、所望の仮想内容により光源１４２１からの光をエンコードする。
【０１４４】
ＳＬＭ１４２５からの光は、ＬＯＥ１４２７に案内され、ＳＬＭ１４２５が同一の深さの平面及び／又は色の画像データでエンコードした光ビームは、ＬＯＥ１４２７に沿って効果的に伝播してユーザの眼部に届く。各ＬＯＥ１４２７は、所望の深さの平面又はＦＯＶ角の位置に由来するように見える画像又はサブ画像をユーザの網膜に投影するように構成される。このため、光源１４２１及びＬＯＥ１４２７は、画像を選択的に投影（コントローラ１４２３の制御下でＳＬＭ１４２５が同期エンコード）して、それが様々な深さの平面又は空間位置に由来するように見えることができる。光源１４２１及びＬＯＥ１４２７のそれぞれを使用することにより、十分に高いフレームレートで画像を順次に投影する。
【０１４５】
コントローラ１４２３とウェアラブル制御機器２０４は、光源１４２１とＳＬＭ１４２５が通信及び操作可能のように結合され、ウェアラブル制御機器２０４からの適切な画像情報を利用して光源１４２１からの光ビームをエンコードして画像の同期表示を調整するようにＳＬＭ１４２５を指示する。
【０１４６】
選択的に、拡張現実システム１４００は、ユーザの目を追跡してユーザの焦点を決定するように構成された目追跡サブシステムをさらに含む。一実施例において、システム１４００は、目追跡サブシステムからの入力に基づき、ＬＯＥ１４２７のサブセットを選択的にアクティブ化することにより、画像をユーザの焦点／調節と一致する所望の深さの平面に生成させるように構成される。
【０１４７】
上記の頭部装着型視聴機器２０２の構造は、例示的なものであり、本実施例は、頭部装着型視聴機器２０２の具体的な実施構造を限定するものではない。
【０１４８】
図１５は、本願の例示的な一実施例により提供されるウェアラブル制御機器の実現の効果図を示し、このウェアラブル制御機器の上ケース部の表面は、弧状をなし、上ケース部の表面にはボタンが設置されており、ボタンは、左ボタン（即ち、確認ボタン）５２１と、右ボタン（右ボタンをクリックすることにより補助メニューを開くことができる）５２２と、音声識別活性化ボタン（即ち、音声活性化ボタン）５２３と、スクロールホイール５２４と、リターン又は電源ボタン５２５と、を含む。
【０１４９】
このウェアラブル制御機器の左ボタン５２１の操作は、シングルクリック操作、ダブルクリック操作、長押し操作のうちの少なくとも１つを含み、シングルクリック操作は、確認又は確認の類義語を意味する信号に使用され、ダブルクリック操作は、アプリケーション、ドキュメント、テーブル、スライド、ピクチャ、ビデオ、オーディオのうちの少なくとも１つのオブジェクトファイルを開くためのものである。長押し操作は、ファイル又はドラッグファイルのうちの少なくとも１つを一括選択するためのものである。右ボタン５２２は、ユーザがシングルクリック操作を行う場合、補助メニューを開くために使用され、この補助メニューの内容は、視聴情報によりわずかに変化する。音声活性化ボタン５２３は、長押し操作又はダブルクリック操作を受信することができ、この音声活性化ボタンがダブルクリック操作を受信する場合、このウェアラブル制御機器におけるコンピュータモジュールは、マイクロフォンで収集した音声信号を文字入力内容に変換するか、又は、この音声活性化ボタンが長押し操作を受信する場合、音声信号を文字入力内容に変換することができる。スクロールホイール５２４は、ユーザがスクロール又はスライドの操作を行う場合、数値調整命令を生成するために使用されており、この数値調整命令は、音量調整命令、輝度調整命令、視野サイズ調整命令、シーンサイズ調整命令、視野角回転命令、視野角遠近調整命令、モノのインターネット機器調整命令のうちの少なくとも１つを含み、模式的に、ユーザは、スクロールホイールをスクロールさせることにより音量を調整することができ、例えば、スクロールホイールを上（即ち、ユーザの指が伸びる方向）にスクロールさせると、音量を向上させ、スクロールホイールを下（即ち、ユーザの指が収縮する方向）にスクロールさせると、音量を低下させる。リターン又は電源ボタン５２５は、ユーザがシングルクリック操作を行う場合、ホームページ又は上位メニューに戻るためのものであるか、又は、オン操作、オフ操作、再起動操作及び電源遮断信号のうちの少なくとも１つに使用されており、例えば、リターン又は電源ボタン５２５を２秒間長押しする場合、ウェアラブル制御機器がオン状態にあると、ウェアラブル制御機器を起動し、ウェアラブル制御機器がオフ状態にあると、ウェアラブル制御機器をオフにする。或いは、リターン又は電源ボタン５２５を６秒間長押しする場合、ウェアラブル制御機器がオン状態にあると、ウェアラブル制御機器の電源をオフにする。
【０１５０】
ユーザは、上記のいくつかのボタンを組み合わせて使用することにより異なる機能を実現することができる。例えば、２つのボタン又は押圧部を同時に押圧することによりプリセット機能をトリガーするが、本実施例は、これに対して限定しない。いくつかの実施例において、上記の各物理的遠隔操作ユニットの機能は、ユーザのカスタマイズをサポートし、各物理的遠隔操作ユニットに対応する機能又はショートカットは、ユーザによりカスタマイズされる。
【０１５１】
以上は、本発明の好ましい実施例に過ぎず、本発明を限定するために用いられるものではなく、本発明の主旨と原則の範囲内でのすべての修正、同等の置換、改善などは本発明の保護範囲に含まれるべきである。
【図１】
2021531520.tif 000003
【図２】
2021531520.tif 000004
【図３】
2021531520.tif 000005
【図４】
2021531520.tif 000006
【図５】
2021531520.tif 000007
【図６】
2021531520.tif 000008
【図７】
2021531520.tif 000009
【図８】
2021531520.tif 000010
【図９】
2021531520.tif 000011
【図１０】
2021531520.tif 000012
【図１１】
2021531520.tif 000013
【図１２】
2021531520.tif 000014
【図１３】
2021531520.tif 000015
【図１４】
2021531520.tif 000016
【図１５】
2021531520.tif 000017
【国際調査報告】
2021531520.tif 000018
2021531520.tif 000019
2021531520.tif 000020
2021531520.tif 000021